(57)【要約】      （修正有）【課題】光学式又はレーザー式等のパソコンマウスの暖房器を提供する。【解決手段】炭素フイルム発熱体を指先部分の皮層の裏側、又、手の平部分の上皮層の裏側に配置し、あまり熱く感じないように、狭い場所と製作経費の面でサーモスタッドは使用しない為、長時間温度が上昇しても３６℃を超えないように、炭素皮膜上の厚さを不揃いにして電流の局所集中を避け、低電流で放熱の外気温度とのバランスで僅かの温度上昇で抑えることが出来るようにし、フィルムの抵抗値は約１Ω、電流値は約１Ａ、電圧約１Ｖとし、約１Ｗを目安とし、又、温度調節は側面に付いた開閉スイッチで調節する。【選択図】図１
0003132202.tif 000002
【実用新案登録請求の範囲】
【請求項１】
パソコンＵＳＢ電源に連結された、光学式マウス及びレーザー光式マウス等を電気暖房する。
【請求項２】
上記請求項１のマウスを暖房する為に薄いポリエステルフイルムに炭素導電塗料をスクリーン印刷し、銀ペースの電極を構え電気抵抗体とし、電圧を加える事により、遠赤外線を放射する。
【考案の詳細な説明】
【考案に属する技術分野】
【０００１】  本考案は、パソコンのＵＳＢ接続端子に接続した光学式パソコンマウス及びレーザー式パソコンマウス等を電気暖房する時炭素被膜に通電して遠赤外線の放射を受けることを特徴とする。
【背景技術】
【０００２】  公開特許広報（Ａ）公開番号  特開２０００−３４７８０２（Ｐ２０００−３４７８０２Ａ）  公開  平成１２年１２月１５日（２０００．１２．１５）  発明の名称  温熱式マウスおよびその製造方法  請求項１  マウス本体の中に、水平方向移動認識装置、垂直方向認識装置、トラックボールなどが組み入れられその表面は表層材で覆われ左ボタン右ボタンが設けられたコンピューターの入力装置としてのマウスにおいて、表層材の内側に温熱体を設け、前記マウス本体を内側から暖めることにより操作者の手先を暖めることを特徴とする温熱式マウス、又次に説明する遠赤外線効果に付いては書籍、やさしい遠赤外線工学  高嶋  博夫  著  １９９８年１２月５日発行  書籍、遠赤外線が地球を救う  遠赤外線ビジネス  今野  和義  著  １９８８年１２月２５日発行により修学したものである。
【考案の開示】
【考案が解決しょうとする課題】
【０００３】  すでにに温熱式マウス暖房器の特許は先行されているが、あくまでトラックボール式のマウスを想定した物である。
【課題を解決するための手段】
【０００４】  図９に示す様な薄い３８μ厚のポリエステルフイルムにスクリーン印刷により３ｍｍ幅の銀ペースで挟まれた１６ｍｍ幅の帯状炭素皮膜図９を作成し之を手の平及び指先の当たるマウスの表層裏側に貼り付け之に５ｖ内外の電圧をマウス内のマザーボードのコネクターから電圧をもらい３ｋΩの抵抗を通して１．５ｖ内外の電圧を加え３６℃前後に温度を上げる。
【考案が解決しようとする課題】
【０００５】  解決しようとする問題点は、先行類似特許がある。
【課題を解決するための手段】
【０００６】  しかし前回の出願はあくまでトラックボール式のマウスに想定されてあり、光学式又はレーザー式のマウスに付いては言及されていない、又発熱体を指定されていない、本発明はヒーターに遠赤外線の放射する炭素被膜を採用した事を特徴とする。
【考案の効果】
【０００７】  炭素の被膜は唯手先の暖房をするだけでは無く、この皮膜を３６℃前後に上げることで遠赤外線を放射し従来研究されてきた遠赤外線の効果により手先の内部４０ｍｍ〜５０ｍｍまで深く浸透し毛細血管の血液の循環をうながし、又マウスの乾燥表面の殺菌作用があり、手の平は普段は赤外線を発しているのですが、これが怪我打ち身などの時手で撫でる事で癒される効果であると言われている、この効果も向上し周辺の水分子を活性化させる、石焼いもの効果のように、遠赤外線の効果で表面が焦げないで内部を焼きおいしさをます、増してマウスは長時間近接使用するもので、従って女性などの手先皮膚に良い効果を与え肩こり、いらいら防止になり使用者の仕事の能率を向上させる効果がある、その他もろもろのいい効果が期待される、又低電圧低電流の為パソコンの電源に負担をかけず、危険性が無い。
【考案の実施するための最良の形態】
【０００８】上記の炭素フイルム発熱体を指先部分の皮層の裏側又手の平部分の上皮層の裏側に配置しあまり熱く感じないように、狭い場所と製作経費の面でサーモスタットは使用しない為、長時間温度が上昇しても３６℃を超えないように製作しなければならない、正確に言えば炭素皮膜上厚さ不揃いで電流の局所集中を避ける、高電圧は炭素はもともと爆薬で着火しやすくスパークの危険をはらむ為この事は低電圧低電流が理想的で放熱の外気温度とのバランスで僅かの温度上昇で抑えることが出来る事を実験し、フイルムの抵抗値は約１Ω電流値は約１Ａ電圧約１Ｖとし約１Ｗを目安とし、又温度調節は側面に付いた開閉スイッチで調節は可能となる、ボタンの裏のフイルムはわずかではあるが曲折に耐え抵抗体の組織が変わらないように銀ペースそのものも曲折に耐えうるものを使用する、特にこのフイルムは３８μと薄い為指先などの裏の隙間にスイッチ操作の害になることなく取り付けできる。又フイルムのリード線は銀ペースの先端にハトメのかしめにて取り付ける。
【実施例１】
【０００９】以下、添付図面に従って一実施例を説明する。１はマウスの上蓋部分の球状曲面の前につける押しスイッチ部分の支持材である、２はマウスのパソコン連結のワイヤーである、３はヒーターに電気を入れる開閉器である、４は押さえて表面より入力信号を与えるスイッチである、５は基盤を入れるマウス本体のプラスチックの容器、６は発熱の為内部の隙間にはいるよう  図９のフイルムの先端を適当な長さに切り機構に合わせ裁断した、リード線付きの炭素被膜である、７は各リード線集結用のハンダ付け用のラグである、８は重量調節錘  ９は前スイッチ部分を取り付けるため空けてある空間である、１０は図９の炭素被膜帯を適当な長さに切り小さく巻き丸め内計１２ｍｍの熱収縮チューブにいれた発熱体で上蓋に付けられた棒方ヒーターである、１１は光学式移動信号知覚発生装置である、１２は左右に有る入力用の押しスイッチである、１３は電圧降下用の抵抗  １４は幅１６ｍｍの炭素皮膜  １５は幅３ｍｍの導電用の銀ペースである、フイルムには  １５の銀ペースよりハトメにてかしめと同時にリード線がかしめ圧着せられる、総ての配線が終わればマウス上面の蓋の内部に各線のまとめの  ７のラグを設け総てのリード線を並列にハンダ付けし之よりリード線を出し差込コネクターをつけ、マザーボードからのコネクターに接続する、３はマウスの横壁に電源からの電圧供給の２段切り替えＯＮ・ＯＦスイッチを付け一方の端子はマザーボードＤＣ５ＶのＵＳＢ電源に接続し一方の端子は抵抗に接続し之より差し込みコネクターにプラスマイナスを接続する、抵抗値２段切り替えのスライドスイッチも使用できる。図９はマウス上蓋の球型局面にマウスの形によっては先端左右の両方のスイッチにＶ字型のフイルムを使用すれば１枚のフイルムで全体の暖房が可能で良くマウスになじむ形になる事を特徴とする。又  １５の銀ペースは印刷乾燥の後ポリエステルフイルムが変形しない様に平たい鉄板で押さえて、１３５℃３０分位温度をかける、又他のフイルムでは熱に耐え無い為現在はポリエステルに限るしかしマウス指下の空間その他のフイルム取り付けは曲がるので図９のＶ字型で曲面になじむ形にした。【００１０】  以上の部品を組み合わせる事で１形式のマウスの暖房は可能であるが、マウスには色々な形のものがあり、上記は加工の１例に過ぎず各種の形のマウスに適した加工方法を検討する必要があるが、すでに実験済みのものもあり、熱発生器が薄いポリエステルフイルムのため簡単な加工でそのマウスの狭い隙間に入れる事ができる、上蓋に付けたヒーターのリード線は総て並列上蓋に付けられたラグにハンダ付けし上蓋の取り外しの為之より切断用差込コネクターを通じて抵抗スイッチを介しマザーボードの電源部に接続される。
【実施例２】
【００１１】マウスを解体しないで、使用中のマウスの上蓋に図９のフイルムを両面粘着で貼り付けて表面のみを暖房できる。
【図面の簡単な説明】
【００１２】
【図１】本考案を説明する為従来の光学式のマウス等の外観見取り図である。
【図２】マウスを分解し前の指で操作する左右のスイッチを押さえるプラスチックの部品を裏面から見たところである。
【図３】上記の図２の側面図である。
【図４】マウスの上蓋の図２の部品と交錯し、前の部分が２重となる、上蓋のプラスチックの２ｍｍ厚程度の球状の丸い形の全部の覆い蓋を裏から見た図である。
【図５】上記図４の側面図である。
【図６】マウスの機講部分を載せたマザーボードのある底の部分の見取り図である。
【図８】図４で使用する上記の炭素被膜の帯を小さく巻き１２ｍｍπのチューブに入れた発熱体。
【図９】上記フイルムをＶ字型に加工し、ポリエステルフイルムは硬いフイルムでマウスの球面にはなじまずその為考案した球面に貼り付けてなじむように工夫した、炭素フイルムである。
【符号の説明】
【００１３】１    マウス全体の上蓋
２    パソコン接続のワイヤー
３    ヒーター用スイッチ
４    前部左右押しスイッチ
５    マウス本体の機器配置のプラスチックケース
６    指先暖房用の炭素フイルム
７    各ヒーター配線終束用ラグ
８    錘
９    図２の組み込み用の穴
１０  棒状炭素フイルム
１１  光学式移動認識信号発信装置
１２  左右押しスイッチ
１３  電圧降下用セメント抵抗
１４  炭素被膜
１５  銀ペース導電材
【図１】
0003132202.tif 000003
【図２】
0003132202.tif 000004
【図３】
0003132202.tif 000005
【図４】
0003132202.tif 000006
【図５】
0003132202.tif 000007
【図６】
0003132202.tif 000008
【図７】
0003132202.tif 000009
【図８】
0003132202.tif 000010
【図９】
0003132202.tif 000011
【手続補正書】
【提出日】平成18年11月6日(2006.11.6)
【手続補正１】
【補正対象書類名】実用新案登録請求の範囲
【補正対象項目名】全文
【補正方法】変更
【補正の内容】
【実用新案登録請求の範囲】
【請求項１】
光学式又はレーザー光式マウス等を電気暖房する、構造を有するパソコンマウスの暖房器
【請求項２】
薄いポリエステルフイルムの表面に炭素導電塗料を印刷し之を電気抵抗発熱体として利用し、暖房するという構造を有するパソコンマウス暖房器
【手続補正２】
【補正対象書類名】明細書
【補正対象項目名】００１２
【補正方法】変更
【補正の内容】
【００１２】
【図１】  本考案を説明する為光学式パソコンマウスの外観見取り図である。
【図２】  マウスカバー部品を分解しマウス前部の指で押さえる左右の可動カバーの内側より見た図である。
【図３】  上記図２の側面図である。
【図４】  マウス全部を覆い図２の押しスイッチ部分を取り付けるカバーの内側の部分である。
【図５】  上記図４の側面図である。
【図６】  マウス本体の機構部分を載せた基盤のある容器の見取り図である。
【図７】  マウス前部指スイッチの裏側に挿入する小さい炭素抵抗フイルムである。
【図８】  マウスカバーの手のひら部分を暖房する為にカバー内面に取り付けるため作られた、炭素フイルムを小さく巻き１２ミリの熱収縮チユーブに入れた棒状の発熱体。
【図９】  ２ミリ幅の銀ペース電極で囲った１０ミリ幅の炭素フイルムでＶ字形に加工し、他の形式のマウスのカバー球形の曲線の合うよう工夫した炭素印刷のポリエステルフイルムである。
【手続補正書】
【提出日】平成19年2月7日(2007.2.7)
【手続補正１】
【補正対象書類名】実用新案登録請求の範囲
【補正対象項目名】全文
【補正方法】変更
【補正の内容】
【実用新案登録請求の範囲】
【請求項１】
薄いポリエステルフイルムの表面に炭素導電塗料を印刷し之を電気抵抗発熱体として利用し、暖房するという構造を有するパソコンマウス暖房器